【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
並列光通信モジュールをホスト回路基板（ＣＢ）の取付面に取り付けるための装置であって、
並列光通信モジュールをホストＣＢに接続するように構成されたソケットと、
第１の出張りと第２の出張りと、
取り外し可能なカバー
を備え、
前記ソケットの対向する下端部には第１の切除領域と第２の切除領域がそれぞれ形成されており、
前記第１の出張りの内側に曲がった部分と前記第２の出張りの内側に曲がった部分が前記第１の切除領域と前記第２の切除領域にそれぞれ入るように、前記ソケットの対向する外面に前記第１の出張りと前記第２の出張りがそれぞれ機械的に結合され、
前記第１の出張り及び前記第２の出張りは、前記モジュールが前記ソケットに取り付けられたときに、前記モジュールの１以上の表面に接触するように構成され、これによって、前記第１の出張り及び前記第２の出張りは、前記ソケットが前記ホストＣＢの前記取付面に固定されたときに、前記ホストＣＢの前記取付面に向かう方向の力を前記モジュール加えて前記ホストＣＢに対する前記モジュールの動きを防止し、
前記取付面への前記ソケットの前記固定は、前記第１の出張りの前記内側に曲がった部分と前記第２の出張りの前記内側に曲がった部分を、前記ホストＣＢの前記取付面に配置されている第１のはんだパッドと第２のはんだパッドにそれぞれはんだ付けすることによってなされ、
前記取り外し可能なカバーは、前記第１の出張りの前記内側に曲がった部分と前記第２の出張りの前記内側に曲がった部分が、前記第１のはんだパッドと前記第２のはんだパッドにそれぞれはんだ付けされている間、前記第１の出張りと前記第２の出張りをそれぞれ所定の位置に保持するように構成された第１の出張り保持部と第２の出張り保持部を有し、前記取り外し可能なカバーは、前記モジュールを前記ソケットに取り付ける前に、前記ソケットから取り外されるように構成されていることからなる、装置。
【請求項２】
前記ソケットは側部及び底部を有し、前記底部は上面及び下面を有し、前記底部の前記上面には電気接点の第１の配列があり、前記底部の前記下面には、電気接点の第２の配列がある、請求項１の装置。
【請求項３】
前記ソケットは、概ね長方形状のフレームを有し、該フレームは、プラスチック部分とシートメタル部分から構成される、請求項１の装置。
【請求項４】
前記ソケットは、概ね長方形状のフレームを有し、該フレームは、前記ホストＣＢを作製する材料と同じ材料である基板材料から構成される、請求項１の装置。
【請求項５】
前記取り外し可能なカバーは、前記ソケットの底部の上面に配置されている電気接点の前記第１の配列を覆って、該第１の配列を環境から保護する、請求項２の装置。
【請求項６】
ミッドプレーン実装システムであって、
少なくとも１つの取付面を有するホスト回路基板（ＣＢ）であって、該取付面には、少なくとも第１のはんだパッド及び第２のはんだパッド、及び電気接点の配列が配置されている、ホストＣＢと、
並列光通信モジュールを前記ホストＣＢに接続するように構成されたソケットであって、該ソケットには第１の出張り及び第２の出張りが機械的に結合されており、前記第１の出張りと前記第２の出張りは、はんだ接合によって前記第１のはんだパッドと前記第２のはんだパッドにそれぞれ固定される第１の内側に曲がった部分と第２の内側に曲がった部分をそれぞれ有し、該はんだ接合によって、前記ホストＣＢに対する前記ソケットの動きが防止されることからなる、ソケットと、
前記ソケットに取り付けられた並列光通信モジュールであって、前記第１の出張り及び前記第２の出張りは、前記モジュールの１以上の表面に接して、前記ホストＣＢの前記取付面に向かう方向の力を前記モジュールに及ぼし、これによって、前記ホストＣＢに対する前記モジュールの動きを防止することからなる、並列光通信モジュールと、
取り外し可能なカバー
を備え、
前記取り外し可能なカバーは、前記第１の出張りの前記内側に曲がった部分と前記第２の出張りの前記内側に曲がった部分が、前記第１のはんだパッドと前記第２のはんだパッドにそれぞれはんだ付けされている間、前記第１の出張りと前記第２の出張りを所定の位置にそれぞれ保持するように構成された第１の出張り保持部と第２の出張り保持部を有し、前記取り外し可能なカバーは、前記並列光通信モジュールを前記ソケットに取り付ける前に、前記ソケットから取り外されるように構成されていることからなる、システム。
【請求項７】
前記ソケットは側部及び底部を有し、前記底部は上面及び下面を有し、前記底部の前記上面には電気接点の第１の配列があり、前記底部の前記下面には、電気接点の第２の配列があり、
前記第１の配列をなす前記電気接点は、前記モジュールの下面に配置されている電気接点の第３の配列の対応するそれぞれの電気接点に接触し、
前記第２の配列をなす前記電気接点は、前記ホストＣＢの前記取付面に配置されている前記配列をなす前記電気接点に接触することからなる、請求項６のシステム。
【請求項８】
前記第１の配列をなす前記電気接点は、導電性のスプリングフィンガーであり、前記第２の配列をなす前記電気接点は、導電性のボールである、請求項７のシステム。
【請求項９】
前記第１の配列をなす前記電気接点は、導電性のスプリングフィンガーであり、前記第２の配列をなす前記電気接点は、導電性のランドである、請求項７のシステム。
【請求項１０】
前記ソケットは、概ね長方形状のフレームを有し、該フレームは、プラスチック部分とシートメタル部分から構成され、前記第１の出張り及び前記第２の出張りは、前記フレームに機械的に結合される、請求項６のシステム。
【請求項１１】
前記ソケットは、概ね長方形状のフレームを有し、該フレームは、前記ホストＣＢを作製する材料と同じ材料である基板材料から構成され、前記第１の出張り及び前記第２の出張りは、前記フレームに機械的に結合される、請求項６のシステム。
【請求項１２】
ホスト回路基板（ＣＢ）に並列光通信モジュールをミッドプレーン実装するための方法であって、
少なくとも１つの取付面を有するホストＣＢを提供するステップであって、該取付面には、少なくとも第１のはんだパッド及び第２のはんだパッド、及び電気接点の配列が配置されている、ステップと、
並列光通信モジュールを前記ホストＣＢに接続するように構成されたソケットを提供するステップであって、該ソケットには第１の出張り及び第２の出張りが機械的に結合されている、ステップと、
前記ソケットを、前記ホストＣＢの前記取付面に配置されている電気接点の前記配列、及び、前記第１のはんだパッド及び前記第２のはんだパッドと位置合わせして、そのように位置合わせされた位置で、前記ソケットを前記ホストＣＢの前記取付面に取り付けるステップと、
第１の出張り保持部と第２の出張り保持部を有する取り外し可能なカバーを前記ソケットに取り付けるステップと、
前記第１の出張りの内側に曲がった部分と前記第２の出張りの内側に曲がった部分を、前記第１のはんだパッドと前記第２のはんだパッドにそれぞれはんだ付けしている間、前記取り外し可能なカバーの前記第１の出張り保持部と前記第２の出張り保持部を用いて、前記第１の出張り及び前記第２の出張りを所定の位置に保持するステップであって、このはんだによる接合によって、前記ホストＣＢに対する前記ソケットの動きが防止されるか、または、少なくとも低減される、ステップと、
前記取り外し可能なカバーを前記ソケットから取り外すステップと、
前記第１の出張り及び前記第２の出張りが、前記モジュールの１以上の表面に接触して、前記ホストＣＢの前記取付面に向かう方向の力を前記モジュールに及ぼすように、並列光通信モジュールを前記ソケットに取り付けるステップであって、前記モジュールに前記力を及ぼすことによって、前記ホストＣＢに対する前記モジュールの動きが防止される、ステップ
を含む方法。
【請求項１３】
前記ソケットは側部及び底部を有し、前記底部は上面及び下面を有し、前記底部の前記上面には電気接点の第１の配列があり、前記底部の前記下面には、電気接点の第２の配列があり、
前記第１の配列をなす前記電気接点は、前記モジュールの下面に配置されている電気接点の第３の配列の対応するそれぞれの電気接点に接触し、
前記第２の配列をなす前記電気接点は、前記ホストＣＢの前記取付面に配置されている前記配列をなす対応するそれぞれの電気接点に接触することからなる、請求項１２の方法。
【請求項１４】
前記第１の配列をなす前記電気接点は、導電性のスプリングフィンガーであり、前記第２の配列をなす前記電気接点は、導電性のボールである、請求項１３の方法。
【請求項１５】
前記第１の配列をなす前記電気接点は、導電性のスプリングフィンガーであり、前記第２の配列をなす前記電気接点は、導電性のランドである、請求項１３の方法。
【請求項１６】
前記ソケットは、概ね長方形状のフレームを有し、該フレームは、プラスチック部分とシートメタル部分から構成され、前記第１の出張り及び前記第２の出張りは、前記フレームに機械的に結合される、請求項１２の方法。
【請求項１７】
前記ソケットは、概ね長方形状のフレームを有し、該フレームは、前記ホストＣＢを作製する材料と同じ材料である基板材料から構成され、前記第１の出張り及び前記第２の出張りは、前記フレームに機械的に結合される、請求項１２の方法。
【請求項１８】
前記カバーは、前記ソケットの底部の上面に配置されている電気接点の前記第１の配列を覆って、該第１の配列を環境から保護する、請求項１３の方法。
【請求項１９】
前記ソケットを前記ホストＣＢの前記取付面に取り付ける前記ステップが、ピックアンドプレイスシステムを用いて、前記ソケットを前記カバーを介して持ち上げて、前記ソケットを前記ホストＣＢの前記取付面に配置するステップを含む、請求項１８の方法。
【請求項２０】
並列光通信モジュールをホスト回路基板（ＣＢ）の取付面に取り付けるための装置であって、
並列光通信モジュールを、前記ホストＣＢの前記取付面に配置されている電気接点の配列に接続するように構成されたソケットと、
取り外し可能なカバー
を備え、
前記ソケットは側部及び底部を有し、前記底部は上面及び下面を有し、前記底部の前記上面には電気接点の第１の配列があり、前記底部の前記下面には、電気接点の第２の配列があり、
前記ソケットには少なくとも第１の出張り及び第２の出張りが機械的に結合され、
前記第１の出張り及び前記第２の出張りは、並列光通信モジュールが前記ソケットに取り付けられたときに、前記並列光通信モジュールの１以上の表面に接触するように構成され、これによって、前記第１の出張り及び前記第２の出張りは、前記ホストＣＢの前記取付面に向かう方向の力を前記モジュールに加えて前記ホストＣＢに対する前記モジュールの動きを防止し、
前記ソケットは、前記第１の出張りの内側に曲がった部分と前記第２の出張りの内側に曲がった部分を、前記ホストＣＢの前記取付面に配置されている第１のはんだパッドと第２のはんだパッドにそれぞれはんだ付けすることによって、前記ホストＣＢの前記取付面に固定されるように構成されており、
前記取り外し可能なカバーは、電気接点の前記第１の配列を環境から保護するように前記ソケットに取り付けられ、該カバーは、前記第１の出張りの前記内側に曲がった部分と前記第２の出張りの前記内側に曲がった部分が、前記第１のはんだパッドと前記第２のはんだパッドにそれぞれはんだ付けされている間、前記第１の出張り及び前記第２の出張りを所定の位置に保持するための出張り保持機構を備え、該カバーは、前記並列光通信モジュールを前記ソケットに取り付ける前に、前記ソケットから取り外されるように構成されていることからなる、装置。
【請求項２１】
前記第１の配列をなす前記電気接点は、導電性のスプリングフィンガーであり、前記第２の配列をなす前記電気接点は、導電性のボールである、請求項２０の装置。
【請求項２２】
前記第１の配列をなす前記電気接点は、導電性のスプリングフィンガーであり、前記第２の配列をなす前記電気接点は、導電性のランドである、請求項２０の装置。
【請求項２３】
前記第１の出張り保持部と前記第２の出張り保持部は、第１の出張り留め構造と第２の出張り留め構造をそれぞれ有しており、前記第１の出張りと前記第２の出張りは、それぞれ、前記第１の出張り留め構造と前記第２の出張り留め構造にそれぞれ形成された第１の溝と第２の溝にはめ込まれることからなる、請求項１の装置。
【請求項２４】
前記第１の出張り留め構造と前記第２の出張り留め構造の各々は、前記第１の出張りと前記第２の出張りが前記第１の溝と前記第２の溝にそれぞれはめ込まれるときに、前記第１の出張りの側部と前記第２の出張りの側部を圧迫する一対の側部延伸部分を有することからなる、請求項２３の装置。